(57)【要約】【課題】複数種類の粉粒体から構成される混合材料の混合度および混合度の異常を判定する方法を提供する。【解決手段】この方法は、互いに色の異なる複数種類の粉粒体から構成される混合材料５０の混合度を判定する方法であって、ａ）混合材料５０を、搬送部３を介して後続の装置へ供給する工程と、ｂ）観測窓３５を介して搬送部３の内部を通過する混合材料５０を撮影し、複数の撮影画像５３を取得する工程と、ｃ）複数種類の粉粒体から１種類の粉粒体を選定し、選定された粉粒体の色を有する画素数の合計値を算出する工程と、ｄ）複数の撮影画像５３の全体に含まれる画素数の合計値に対する、工程ｃ）の算出結果が占める割合を、実測面積比率として算出する工程と、ｅ）実測面積比率が所定の範囲内かどうか判定し、または実測面積比率に基づいて粉粒体の混合度を判定する工程と、を有する。これにより、混合材料の混合度および混合度の異常を判定できる【選択図】図２
2019060805.tif 000002
【特許請求の範囲】
【請求項１】
互いに色の異なる複数種類の粉粒体から構成される混合材料の混合度を判定する混合度判定方法であって、
ａ）前記混合材料を、内部を撮影可能な観測窓を少なくとも一部に有する搬送部を介して後続の装置へ供給する工程と、
ｂ）前記工程ａ）の途中で、前記観測窓を介して前記搬送部の内部を通過する前記混合材料を撮影することにより、１または複数の撮影画像を取得する工程と、
ｃ）前記複数種類の粉粒体から少なくとも１種類の粉粒体を選定し、前記選定された粉粒体の色を有する画素数の合計値を算出する工程と、
ｄ）前記１または複数の撮影画像の全体に含まれる画素数の合計値に対する、前記工程ｃ）の算出結果が占める割合を、実測面積比率として算出する工程と、
ｅ）前記工程ｄ）において算出された前記実測面積比率が所定の範囲内かどうか判定し、または前記工程ｄ）における前記実測面積比率の算出結果に基づいて前記粉粒体の混合度を判定する工程と、
を有する、混合度判定方法。
【請求項２】
請求項１に記載の混合度判定方法であって、
前記工程ｅ）において、前記実測面積比率を前記選定された粉粒体の混合度を示す数値として判定する、混合度判定方法。
【請求項３】
請求項１に記載の混合度判定方法であって、
前記工程ｅ）よりも前に、前記１または複数の撮影画像の全体に含まれる画素数の合計値に対する、前記選定された粉粒体の色を有する画素数の合計値が占める割合を予測した結果を予測面積比率として記録し、
前記工程ｅ）において、前記予測面積比率と前記実測面積比率とを比較した結果に基づいて、前記実測面積比率が所定の範囲内かどうか判定する、混合度判定方法。
【請求項４】
請求項１から請求項３までのいずれか１項に記載の混合度判定方法であって、
前記工程ｅ）において、前記実測面積比率が所定の範囲内かどうか判定し、前記所定の範囲内でないと判定した場合に、さらに
ｆ）前記実測面積比率の値の異常を示す異常判定情報を出力する工程
を実行する、混合度判定方法。
【請求項５】
請求項１から請求項４までのいずれか１項に記載の混合度判定方法であって、
前記撮影画像の面積は、平面上に１００粒以上の前記粉粒体を隣接して並べた場合の、前記粉粒体が占める平面積を有する、混合度判定方法。
【請求項６】
請求項１から請求項５までのいずれか１項に記載の混合度判定方法であって、
前記工程ｂ）において、複数の前記撮影画像を取得し、
前記工程ｃ）において、前記撮影画像毎に前記選定された粉粒体の色を有する画素数の合計値を算出し、
前記工程ｄ）において、前記撮影画像毎に前記撮影画像の全体に含まれる画素数の合計値に対する、前記工程ｃ）の算出結果が占める割合を算出し、さらに算出した前記割合の前記複数の撮影画像に渡る平均値を前記実測面積比率として算出する、混合度判定方法。
【請求項７】
請求項６に記載の混合度判定方法であって、さらに
ｇ）前記工程ｄ）において算出された、前記撮影画像毎の前記撮影画像の全体に含まれる画素数の合計値に対する前記工程ｃ）の算出結果が占める割合の、前記複数の撮影画像に渡る変化量を算出する工程
を有し、
前記工程ｇ）において算出した変化量が所定の範囲内でないと判定した場合に、さらに
ｈ）前記実測面積比率の変化量の異常を示す異常判定情報を出力する工程
を実行する、混合度判定方法。
【請求項８】
互いに色の異なる複数種類の粉粒体から構成される混合材料の混合度を判定する混合度判定装置であって、
前記混合材料を、内部を撮影可能な観測窓を少なくとも一部に有する搬送部を介して後続の装置へ供給する供給部と、
前記観測窓を介して前記搬送部の内部を通過する前記混合材料を撮影することにより、１または複数の撮影画像を取得する画像取得部と、
前記画像取得部によって取得された前記１または複数の撮影画像を解析する画像解析部と、
を有し、
前記画像解析部は、
前記複数種類の粉粒体から予め選定された特定の種類の前記粉粒体の色を有する画素数の合計値を第１合計値として算出し、
前記１または複数の撮影画像の全体に含まれる画素数の合計値である第２合計値に対する、前記第１合計値が占める割合を、実測面積比率として算出し、
前記実測面積比率が所定の範囲内かどうか判定し、または前記実測面積比率の算出結果に基づいて前記粉粒体の混合度を判定する、混合度判定装置。
【請求項９】
請求項８に記載の混合度判定装置であって、
前記観測窓は、前記搬送部の少なくとも一部に設けられた前記搬送部の内部と外部とを連通する貫通孔に嵌合された、または前記貫通孔を覆う、透明または半透明の板である、混合度判定装置。
【請求項１０】
請求項８または請求項９に記載の混合度判定装置であって、
前記画像取得部は、レンズおよび撮像素子を有するカメラであって、
前記観測窓は、前記画像取得部の光軸に対して垂直かつ平面状に拡がる、混合度判定装置。
【請求項１１】
請求項８または請求項９に記載の混合度判定装置であって、
前記画像取得部は、レンズおよび撮像素子を有するカメラであって、
前記観測窓は、前記画像取得部の光軸に垂直な面に対して曲面状に拡がる、混合度判定装置。
【発明の詳細な説明】
【技術分野】
【０００１】
本発明は、複数種類の粉体または粒体からなる材料（以下「粉粒体」と称する）から構成される混合材料の混合度を判定する混合度判定方法および混合度判定装置に関する。
【背景技術】
【０００２】
例えば、樹脂成形品を製造する前段階では、樹脂ペレット、マスターバッチ、粉砕材、および添加剤等の複数種類の粉粒体を混合する処理が施されることがある。従来の混合処理については、例えば、特許文献１に記載されている。特許文献１の装置では、複数の粉粒体原料がそれぞれ計量され、所定の配合比率で配合される。
【０００３】
複数種類の粉粒体の混合処理において、全体として所定の比率で混合した場合でも、混合材料における局所的な均一性（以下「混合度」と称する）に偏りが生じる場合がある。例えば、樹脂成形品を製造する前段階の混合処理において、無色の樹脂ペレットに着色料としてのマスターバッチを所定の比率で混合した場合でも、マスターバッチの混合度に局所的な偏りが生じ、後工程の樹脂成形時に色ムラが生じる虞がある。そこで、後工程にある樹脂成形機に混合材料を投入する前に、混合材料における粉粒体の局所的な混合度の偏りを察知し、対処することによって、後工程の樹脂成形時に不具合が生じることを抑制することが求められている。粉体の混合状態の測定装置については、例えば、特許文献２に記載されている。
【先行技術文献】
【特許文献】
【０００４】
【特許文献１】特開２０１５−０７５４２０号公報
【特許文献２】特開平６−３００６８２号公報
【発明の概要】
【発明が解決しようとする課題】
【０００５】
特許文献２の測定装置は、カラービデオカメラで粉体を写して取得した画像の各ドットにおけるＲＧＢの色信号を数字に変換し、ドット毎に測定された数字を比較することによって、粉体の混合度を測定する。しかし、樹脂成形品の製造に用いられる樹脂ペレット、マスターバッチ、粉砕材、および添加剤等の粉粒体は、それぞれ一定以上の粒径を有し、またこれらの粉粒体の種類間の粒径の差が大きいため、混合材料の画像が複雑になる。このため、ドット毎の分析から混合度を判定することは難しい。
【０００６】
本発明は、このような事情に鑑みなされたものであり、それぞれ一定以上の粒径を有し、種類間の粒径の差が大きい複数種類の粉粒体から構成される混合材料の混合度および混合度の異常を判定できる方法および装置を提供することを目的とする。
【課題を解決するための手段】
【０００７】
本願の第１発明は、互いに色の異なる複数種類の粉粒体から構成される混合材料の混合度を判定する混合度判定方法であって、ａ）前記混合材料を、内部を撮影可能な観測窓を少なくとも一部に有する搬送部を介して後続の装置へ供給する工程と、ｂ）前記工程ａ）の途中で、前記観測窓を介して前記搬送部の内部を通過する前記混合材料を撮影することにより、１または複数の撮影画像を取得する工程と、ｃ）前記複数種類の粉粒体から少なくとも１種類の粉粒体を選定し、前記選定された粉粒体の色を有する画素数の合計値を算出する工程と、ｄ）前記１または複数の撮影画像の全体に含まれる画素数の合計値に対する、前記工程ｃ）の算出結果が占める割合を、実測面積比率として算出する工程と、ｅ）前記工程ｄ）において算出された前記実測面積比率が所定の範囲内かどうか判定し、または前記工程ｄ）における前記実測面積比率の算出結果に基づいて前記粉粒体の混合度を判定する工程と、を有する。
【０００８】
本願の第２発明は、第１発明の混合度判定方法であって、前記工程ｅ）において、前記実測面積比率を前記選定された粉粒体の混合度を示す数値として判定する。
【０００９】
本願の第３発明は、第１発明の混合度判定方法であって、前記工程ｅ）よりも前に、前記１または複数の撮影画像の全体に含まれる画素数の合計値に対する、前記選定された粉粒体の色を有する画素数の合計値が占める割合を予測した結果を予測面積比率として記録し、前記工程ｅ）において、前記予測面積比率と前記実測面積比率とを比較した結果に基づいて、前記実測面積比率が所定の範囲内かどうか判定する。
【００１０】
本願の第４発明は、第１発明から第３発明までのいずれか１発明の混合度判定方法であって、前記工程ｅ）において、前記実測面積比率が所定の範囲内かどうか判定し、前記所定の範囲内でないと判定した場合に、さらにｆ）前記実測面積比率の値の異常を示す異常判定情報を出力する工程を実行する。
【００１１】
本願の第５発明は、第１発明から第４発明までのいずれか１発明の混合度判定方法であって、前記撮影画像の面積は、平面上に１００粒以上の前記粉粒体を隣接して並べた場合の、前記粉粒体が占める平面積を有する。
【００１２】
本願の第６発明は、第１発明から第５発明までのいずれか１発明の混合度判定方法であって、前記工程ｂ）において、複数の前記撮影画像を取得し、前記工程ｃ）において、前記撮影画像毎に前記選定された粉粒体の色を有する画素数の合計値を算出し、前記工程ｄ）において、前記撮影画像毎に前記撮影画像の全体に含まれる画素数の合計値に対する、前記工程ｃ）の算出結果が占める割合を算出し、さらに算出した前記割合の前記複数の撮影画像に渡る平均値を前記実測面積比率として算出する。
【００１３】
本願の第７発明は、第６発明の混合度判定方法であって、さらにｇ）前記工程ｄ）において算出された、前記撮影画像毎の前記撮影画像の全体に含まれる画素数の合計値に対する前記工程ｃ）の算出結果が占める割合の、前記複数の撮影画像に渡る変化量を算出する工程を有し、前記工程ｇ）において算出した変化量が所定の範囲内でないと判定した場合に、さらにｈ）前記実測面積比率の変化量の異常を示す異常判定情報を出力する工程を実行する。
【００１４】
本願の第８発明は、互いに色の異なる複数種類の粉粒体から構成される混合材料の混合度を判定する混合度判定装置であって、前記混合材料を、内部を撮影可能な観測窓を少なくとも一部に有する搬送部を介して後続の装置へ供給する供給部と、前記観測窓を介して前記搬送部の内部を通過する前記混合材料を撮影することにより、１または複数の撮影画像を取得する画像取得部と、前記画像取得部によって取得された前記１または複数の撮影画像を解析する画像解析部と、を有し、前記画像解析部は、前記複数種類の粉粒体から予め選定された特定の種類の前記粉粒体の色を有する画素数の合計値を第１合計値として算出し、前記１または複数の撮影画像の全体に含まれる画素数の合計値である第２合計値に対する、前記第１合計値が占める割合を、実測面積比率として算出し、前記実測面積比率が所定の範囲内かどうか判定し、または前記実測面積比率の算出結果に基づいて前記粉粒体の混合度を判定する。
【００１５】
本願の第９発明は、第８発明の混合度判定装置であって、前記観測窓は、前記搬送部の少なくとも一部に設けられた前記搬送部の内部と外部とを連通する貫通孔に嵌合された、または前記貫通孔を覆う、透明または半透明の板である。
【００１６】
本願の第１０発明は、第８発明または第９発明の混合度判定装置であって、前記画像取得部は、レンズおよび撮像素子を有するカメラであって、前記観測窓は、前記画像取得部の光軸に対して垂直かつ平面状に拡がる。
【００１７】
本願の第１１発明は、第８発明または第９発明の混合度判定装置であって、前記画像取得部は、レンズおよび撮像素子を有するカメラであって、前記観測窓は、前記画像取得部の光軸に垂直な面に対して曲面状に拡がる。
【発明の効果】
【００１８】
本願の第１発明〜第１１発明によれば、後続の装置へ供給される複数種類の粉粒体の混合度を判定し、または混合度が所定の範囲内かどうかをインラインかつリアルタイムで判定することができる。これにより、後続の装置（射出成形機等）における不具合を抑制することができる。
【００１９】
特に、本願の第４発明によれば、混合度の値の異常を直ぐに認識することができる。
【００２０】
特に、本願の第６発明によれば、混合度および混合度の異常の判定結果のぶれを抑制することができる。
【００２１】
特に、本願の第７発明によれば、混合度の変化の異常を直ぐに認識することができる。
【図面の簡単な説明】
【００２２】
【図１】複数種類の粉粒体から構成される混合材料の混合度を判定する様子を模式的に示す断面図である。
【図２】複数種類の粉粒体から構成される混合材料の混合度を判定する様子を模式的に示す断面図である。
【図３】撮影画像を解析する様子を模式的に示す概要図である。
【図４】図４は、粉粒体の投入比率と予測面積比率との関係を示すグラフである。
【図５】図５は、複数種類の粉粒体から構成される混合材料の混合度および混合度の異常を判定する工程を示したフローチャートである。
【発明を実施するための形態】
【００２３】
＜１．本発明の好適な実施形態＞
以下、本発明の好適な実施形態について、図面を参照しつつ説明する。図１は、複数種類の粉粒体から構成される混合材料５０の混合度を判定する様子を模式的に示す断面図である。図２は、図１とは異なる方向から見た、複数種類の粉粒体から構成される混合材料５０の混合度を判定する様子を模式的に示す断面図である。図１および図２に示す混合度判定装置１は、複数種類の粉粒体が混合された混合材料５０における、少なくとも２種類の粉粒体の混合度および混合度の異常を判定する装置である。混合度判定装置１は、供給部２、搬送部３、画像取得部４、および画像解析部５を有する。供給部２、搬送部３、画像取得部４、および画像解析部５は、共通のフレームに対して固定されている。
【００２４】
供給部２は、混合材料５０を内部に貯留するとともに、下部の開閉構造（図示省略）によって、混合材料５０を下方へ排出する装置である。供給部２は、貯留槽２０と排出部２１とを有する。貯留槽２０は、混合材料５０を内部に貯留する容器である。貯留槽２０の下部は、下方へ向かうにつれて徐々に収束する漏斗状の形状を有する。貯留槽２０は、例えば、ＳＵＳ（ステンレス）等の金属により形成される。排出部２１については、詳細を後述する。
【００２５】
貯留槽２０の中には、２種類の粉粒体である第１粉粒体５１および第２粉粒体５２が混合された混合材料５０が貯留されている。第１粉粒体５１は、樹脂成形品の主な原料である無色透明の樹脂ペレットである。第２粉粒体５２は、樹脂成形品を着色する着色料として用いられるマスターバッチである。第１粉粒体５１および第２粉粒体５２は、互いに色および粒径が異なる。なお、第２粉粒体５２は、樹脂成形品を製造する前段階で投入される粉砕材または添加剤等の粉粒体であってもよい。また、混合材料５０は、３種類以上の粉粒体から構成されていてもよい。以下では、例として、２種類の粉粒体のうち、マスターバッチである第２粉粒体５２を予め選定し、混合材料５０における第２粉粒体５２の混合度および混合度の異常を判定することとする。
【００２６】
なお、第１粉粒体５１および第２粉粒体５２は、混合度判定装置１の外部の供給源（図示省略）において、それぞれ予め所定の重量または体積量に計量され、所定の重量比率または体積比率で混合され、混合材料５０として準備される。以下、混合材料５０における予め選定された第２粉粒体５２の重量比率または体積比率を「投入比率Ｒ」と呼ぶこととする。供給源で準備された混合材料５０は、例えば、作業者の手作業により、貯留槽２０の内部へ投入される。ただし、供給源と貯留槽２０とを機械的に接続し、輸送することにより、貯留槽２０の内部へ混合材料５０を投入してもよい。また、貯留槽２０の内部において、予め所定の重量または体積量に計量された第１粉粒体５１および第２粉粒体５２を、所定の重量比率または体積比率で混合することによって、混合材料５０を準備してもよい。
【００２７】
排出部２１は、貯留槽２０の下端部に設けられた開口および開口の開閉を行う排出弁（図示省略）から構成される。排出弁は、手動または自動制御によって駆動する。開口の下方には、後述する搬送部３が連続して設けられている。開口が開かれた際、貯留槽２０の内部に貯留された混合材料５０は、搬送部３の内部を介して後続の装置である樹脂成形機６へ供給される。
【００２８】
搬送部３は、上下方向に延びる中空の部材である。上述の開口が開いている場合において、搬送部３の内部空間は、貯留槽２０の内部空間と連通する。また、搬送部３の内部空間は、樹脂成形機６の内部空間と連通する。図１および図２に示すとおり、搬送部３の上部は、上向きに漸次小径となる。搬送部３の下部は、下向きに漸次小径となる。さらに、搬送部３の中央部は、断面が矩形である直方体型の立体形状を有する。搬送部３の中央部の外周面は、互いに対向する１対の第１面３１と、互いに対向する１対の第２面３２とによって構成される。第１面３１の面積は、第２面３２の面積よりも大きい。ただし、搬送部３の形状は、これに限定されない。例えば、搬送部３の断面の形状は、一部が円形であってもよい。
【００２９】
１対の第１面３１のうちの一方において、第１面３１に対して垂直な方向に搬送部３を貫通する貫通孔３０が設けられている。貫通孔３０は、搬送部３の内部空間と外部空間とを連通する。貫通孔３０には、無色透明の樹脂製の板が嵌合される。これにより、観測窓３５が形成される。この結果、搬送部３の内部を通過する混合材料５０を、観測窓３５を介して外部から視認し、および撮影することができる。なお、観測窓３５は、貫通孔３０が無色透明の板で覆われることにより形成されてもよい。また、観測窓３５に用いられる板は半透明であってもよい。また、観測窓３５に用いられる板は、樹脂製以外の部材（例えばガラス製の部材）であってもよい。さらに、観測窓３５は、第１面３１の少なくとも一部に設けられればよく、位置、大きさ、および数は限定されない。
【００３０】
なお、観測窓３５は、後述する画像取得部４の光軸４０に対して垂直かつ平面状に拡がる。これにより、後述のとおり、搬送部３の内部を通過する混合材料５０の画像を平面的に撮影することができる。この結果、画像解析時の誤差を抑制することができる。ただし、観測窓３５は、画像取得部４の光軸４０に垂直な面に対して曲面状に拡がってもよい。
【００３１】
画像取得部４は、搬送部３の内部を通過する混合材料５０を、観測窓３５を介して外部から撮影する装置である。画像取得部４は、レンズおよび撮像素子を有するカメラである。画像取得部４は、フレーム７４を介して搬送部３に固定されている。画像取得部４の光軸４０は、画像取得部４が搬送部３に固定された状態で、観測窓３５に対して垂直に交わる。フレーム７４は、底部７４１と遮光部７４２とを有する。底部７４１には、画像取得部４が固定される。遮光部７４２は、底部７４１から光軸４０方向に延び、観測窓３５の周縁部において搬送部３に接続される。また、遮光部７４２は、黒色の紙、または黒色の樹脂等により形成され、画像取得部４のレンズの周囲を覆う。これにより、画像取得部４への外部からの光の進入が遮断される。ただし、遮光部７４２は、外部からの光の進入を遮断できるものであればよく、色は黒色には限定されない。
【００３２】
画像取得部４は、搬送部３の内部を通過する混合材料５０を所定の時間間隔で撮影し、複数枚の撮影画像５３を取得する。なお、撮影する時間間隔は、例えば、０．１秒毎、または５分毎等として、予め設定され、画像取得部４に記憶される。また、撮影画像５３の取得枚数は、例えば、３枚、または１０００枚等として、予め設定され、画像取得部４に記憶される。ただし、撮影画像の取得枚数は、１枚のみであってもよい。
【００３３】
画像解析部５は、画像取得部４によって取得された複数枚の撮影画像５３を解析する装置である。画像解析部５は、例えば、プログラムに従って動作可能なコンピュータにより構成される。画像解析部５には、解析対象として予め選定された第２粉粒体５２の色（本実施形態では黒色）のデータが予め記憶されている。図３は、取得された撮影画像５３を解析する様子を模式的に示す概要図である。図３に示すとおり、画像解析部５は、まず、取得された複数枚の撮影画像５３に含まれる複数の画素５４の輝度値をそれぞれ算出して互いに比較することにより、各画素５４の色を割り出す。そして、画像解析部５は、各画素５４の色を割り出した結果に基づき、複数の撮影画像５３の全体における、第２粉粒体５２の色（黒色）を有する画素数の合計値を第１合計値Ｄ１として算出する。次に、画像解析部５は、複数の撮影画像５３の全体に含まれる画素数の合計値を第２合計値Ｄ２として算出する。そして、画像解析部５は、第２合計値Ｄ２の算出結果に対する、第１合計値Ｄ１の算出結果が占める割合を、実測面積比率Ｃとして算出する。なお、第２合計値Ｄ２について、画像解析部５により算出される前から既知である場合は、予め画像解析部５に記憶されてもよい。
【００３４】
さらに、画像解析部５は、実測面積比率Ｃの算出結果に基づいて、第２粉粒体５２の混合度を示す数値を判定し、または出力する。この時、画像解析部５は、実測面積比率Ｃの算出結果自体を第２粉粒体５２の混合度を示す数値として判定し、または出力してもよい。
【００３５】
ここで、上述の混合材料５０に対する第２粉粒体５２の投入量の割合を示す「投入比率Ｒ」と、混合材料５０の撮影画像５３における第２粉粒体５２の色（黒色）が占める「面積比率」との関係について、説明する。図４は、粉粒体の投入比率Ｒと撮影画像における面積比率との関係を示すグラフである。図４に示すとおり、複数種類の粉粒体が所定の重量比率または体積比率で混合された混合材料５０において、各種の粉粒体がそれぞれ均一に分布している場合、うち特定の種類の粉粒体の投入比率Ｒと、混合材料５０の撮影画像５３における当該特定の種類の粉粒体の色が占める面積比率との関係は、一次式で近似される。図４の例では、混合材料５０における第２粉粒体５２の投入比率が８％の場合、混合材料５０を撮影した撮影画像５３の全体の画素数に対する、第２粉粒体５２の色（黒色）を有する画素数の比率は、約９％となる。
【００３６】
図４に示すグラフは、例えば、実際に製品を製造する際の粉粒体の混合度および混合度の異常を判定する前段階において、複数回の実測値に基づいて作成される。そして、解析対象である特定の種類の粉粒体の投入比率Ｒと、図４に示す近似式（一次式）に基づき、撮影画像５３における特定の種類の粉粒体の面積比率が予測され、「予測面積比率Ｐ」として算出される。例えば、第２粉粒体５２の投入比率Ｒが８％である場合、予測面積比率Ｐは９％であるとして算出される。さらに、算出した予測面積比率Ｐに相当する予測撮影画像５３Ｐが、過去の実測時に得られたデータをもとにサンプル画像として用意される。
【００３７】
図３に戻る。画像解析部５は、さらに、算出した実測面積比率Ｃを、予め算出した予測面積比率Ｐと比較した結果に基づいて、実測面積比率Ｃが所定の範囲内かどうか判定する。例えば、第２粉粒体５２の投入比率Ｒが８％である混合材料５０の撮影画像５３における第２粉粒体５２の実測面積比率Ｃが１０％である場合、予測面積比率９％に比べて１割を超えるずれが生じている。仮に、「予測面積比率Ｐに対する実測面積比率Ｃのずれが１割以下である場合、所定の範囲内であると判定する」と予め設定されている場合、実測面積比率Ｃが１０％である本例では、所定の範囲を超えるずれが生じていると判定される。
【００３８】
なお、予測面積比率Ｐに対する実測面積比率Ｃのずれが所定の範囲内かどうか判定する際には、作業者が、撮影画像５３と予測撮影画像５３Ｐとを目視で比較することにより、行ってもよい。撮影画像５３と予測撮影画像５３Ｐとの間に大きな違いが生じている場合には、一目で異常を発見することができる。
【００３９】
さらに、画像解析部５は、実測面積比率Ｃの算出結果が所定の範囲内でないと判定した場合に、実測面積比率Ｃの値の異常を示す異常判定情報を出力する。これにより、作業者が、粉粒体の混合度の異常を直ぐに認識することができる。
【００４０】
上述のとおり、混合度判定装置１は、混合材料５０における、特定の種類の粉粒体の混合度および混合度の異常をインラインかつリアルタイムで判定する。また、異常が判定された場合に、異常判定情報を出力する。これにより、後工程にある装置に混合材料５０を投入する前に、混合材料５０における粉粒体の局所的な混合度の偏りを察知し、対処することができる。この結果、後工程で不具合が発生することを抑制できる。また、撮影画像５３の全体に含まれる画素数の合計値（第２合計値Ｄ２）に対する、特定の種類の粉粒体の色を有する画素数の合計値（第１合計値Ｄ１）の比率に基づき、特定の種類の粉粒体の混合度および混合度の異常を判定する。これにより、混合材料５０が、それぞれ一定以上の粒径を有し種類間の粒径の差が大きい複数種類の粉粒体から構成されことによって、撮影画像が複雑になる場合でも、混合度および混合度の異常を判定できる。
【００４１】
図５は、複数種類の粉粒体から構成される混合材料５０の混合度および混合度の異常を判定する工程を示したフローチャートである。上述のとおり、および図５に示すとおり、本実施形態の混合度判定方法では、まず、混合材料５０の撮影の時間間隔、撮影画像５３の取得枚数、および撮影範囲（面積）等の諸条件の設定を行う（ステップＳ１）。次に、観測窓３５を介して搬送部３の内部を通過する混合材料５０を撮影することにより、１または複数の撮影画像５３を取得する（ステップＳ２）。その際、撮影画像５３として、予め設定された枚数分が得られるまで、撮影を繰り返す（ステップＳ３）。さらに、撮影画像５３の全体に含まれる画素数の合計値（第２合計値Ｄ２）に対する、特定の種類の粉粒体の色を有する画素数の合計値（第１合計値Ｄ１）の比率を、実測面積比率Ｃとして算出する（ステップＳ４）。そして、実測面積比率Ｃの算出結果が所定の範囲内かどうか判定し（ステップＳ５）、所定の範囲内でないと判定された場合は、異常を示す異常判定情報を出力する（ステップＳ６）。ただし、実測面積比率Ｃの算出結果自体を、特定の種類の粉粒体の混合度を示す数値として判定し、または出力してもよい。
【００４２】
なお、ステップＳ１において設定される、撮影画像５３の１枚あたりの面積は、平面上に１００粒以上の粉粒体を隣接して並べた場合の、粉粒体が占める平面積を有することが望ましい。樹脂成形に用いられる混合材料５０の多くは、主原料の樹脂ペレットに対して、１％以上の重量または体積量を有するマスターバッチ等の粉粒体が混合されることによって形成されている。撮影画像５３が１枚あたり１００粒分以上の粉粒体の面積を有することによって、１枚の撮影画像５３の中に少なくとも１つの、他とは異なる種類の粉粒体が含まれる可能性が高くなる。これにより、より精度良く実測面積比率Ｃを算出することができる。
【００４３】
＜２．変形例＞
以上、本発明の一実施形態について説明したが、本発明は上記の実施形態に限定されるものではない。
【００４４】
上述の実施形態では、画像解析部５は、複数の撮影画像５３の全体における、予め選定された第２粉粒体５２の色（黒色）を有する画素数の合計値（第１合計値Ｄ１）を算出した。そして、画像解析部５は、複数の撮影画像５３の全体に含まれる画素数の合計値（第２合計値Ｄ２）に対する、第１合計値の算出結果が占める割合を、実測面積比率Ｃとして算出した。しかし、画像解析部５は、撮影画像５３毎に、予め選定された第２粉粒体５２の色（黒色）を有する画素数の合計値（第１合計値Ｄ１ｂ）を算出してもよい。そして、画像解析部５は、撮影画像５３毎に、撮影画像５３の全体に含まれる画素数の合計値（第２合計値Ｄ２ｂ）に対する、第１合計値Ｄ１ｂの算出結果が占める割合を、撮影画像５３毎の実測面積比率Ｃｂとして算出してもよい。さらに、画像解析部５は、算出した撮影画像５３毎の実測面積比率Ｃｂの、複数の撮影画像５３に渡る平均値を、平均実測面積比率Ｃａとして算出してもよい。これにより、混合材料５０の混合度および混合度の異常の判定結果のぶれを抑制することができる。
【００４５】
また、画像解析部５は、撮影画像５３毎の実測面積比率Ｃｂの、複数の撮影画像５３に渡る変化量を算出してもよい。さらに、算出された実測面積比率Ｃｂの変化量が所定の範囲内でないと判定した場合に、実測面積比率Ｃｂの変化量の異常を示す異常判定情報を出力してもよい。これにより、粉粒体の混合度の変化の異常を直ぐに認識することができる。例えば、粉粒体の混合度の偏りが変化した状況を直ぐに把握することができ、原因の究明に役立てることができる。
【００４６】
また、混合度および混合度の異常を判定する対象として、２種類以上の粉粒体が予め選定されてもよい。
【００４７】
また、混合度判定装置の細部の構成については、本願の各図に示された構成と、相違していてもよい。
【００４８】
また、上記の実施形態や変形例に登場した各要素を、矛盾が生じない範囲で、任意に組み合わせてもよい。
【符号の説明】
【００４９】
１  混合度判定装置
２  供給部
３  搬送部
４  画像取得部
５  画像解析部
６  樹脂成形機
２０  貯留槽
２１  排出部
３０  貫通孔
３１  第１面
３２  第２面
３５  観測窓
４０  光軸
５０  混合材料
５１  第１粉粒体
５２  第２粉粒体
５３  撮影画像
５３Ｐ  予測撮影画像
５４  画素
７４  フレーム
７４１  底部
７４２  遮光部
Ｃ  実測面積比率
Ｃａ  平均実測面積比率
Ｃｂ  撮影画像毎の実測面積比率
Ｄ１，Ｄ１ｂ  第１合計値
Ｄ２，Ｄ２ｂ  第２合計値
Ｐ  予測面積比率
Ｒ  投入比率
【図１】
2019060805.tif 000003
【図２】
2019060805.tif 000004
【図３】
2019060805.tif 000005
【図４】
2019060805.tif 000006
【図５】
2019060805.tif 000007